(57)【要約】      （修正有）【課題】冷凍ユニットを搭載する内蔵型ショーケースでは、機械室のスペースが十分に確保でない場合があり、素子収納ボックスや凝縮器、送風機などの大きさも制限されるため、機械室内の凝縮器や素子収納ボックスから発する熱を効率良く機械室外あるいはショーケースの機体の外に排気することが必要となる。【解決手段】ショーケース内の機械室１の凝縮器２と送風機４と送風機の風を凝縮器へ導く凝縮器連通風路３に圧縮機７と圧縮機７を駆動制御する素子を備える素子収納ボックス５を備え、送風機４の風を素子収納ボックス５へ導く素子収納ボックス連通風路６と凝縮器連通風路３と素子収納ボックス連通風路６に分流風路９または分流板８を備えた。【選択図】図１
2012242006.tif 000002
【特許請求の範囲】
【請求項１】
ショーケース内の機械室に凝縮器と送風機と送風機の風を凝縮器へ導く凝縮器連通風路と圧縮機と圧縮機を駆動制御する素子を備える素子収納ボックスと、送風機の風を素子収納ボックスへ導く素子収納ボックス連通風路と凝縮器連通風路と素子収納ボックス連通風路を分流風路または分流板を備えたことを特徴とするショーケース。
【請求項２】
前記分流板は、送風機の近傍の側壁を折り曲げて、素子収納ボックス連通風路に分流することを特徴とする請求項１記載のショーケース。
【請求項３】
ショーケース内の機械室に凝縮器と送風機と送風機の風を凝縮器へ導く凝縮器連通風路と
圧縮機と圧縮機を駆動制御する素子を備える素子収納ボックスと送風機の風を素子収納ボックスへ導く素子収納ボックス連通風路を備え、送風機からの送風風路の先に凝縮器連通風路と素子収納ボックス連通風路を概ね並列に配置したことを特徴とするショーケース。
【請求項４】
ショーケース内の機械室に凝縮器と送風機と送風機の風を凝縮器へ導く凝縮器連通風路と圧縮機と圧縮機を駆動制御する素子を備える素子収納ボックスと送風機の風を素子収納ボックスへ導く素子収納ボックス連通風路を備え、凝縮器と素子収納ボックスを送風機の背後側に配置するとともに凝縮器連通風路と素子収納ボックス連通風路を概ね並列に配置したことを特徴とするショーケース。
【請求項５】
凝縮器連通風路を通過した高温の空気が流入しないよう、凝縮器連通風路と素子収納ボックス連通風路に仕切りを設けたことを特徴とする請求項４記載のショーケース。
【請求項６】
素子収納ボックス連通風路を通過した空気をドレン蒸発装置に導く風路を備えたことを特徴とする請求項１から請求項６のいずれか記載のショーケース。
【発明の詳細な説明】
【技術分野】
【０００１】
本発明は、圧縮機や凝縮器など有する冷凍ユニットを搭載するショーケースの機械室内の冷却構造に関するものである。
【背景技術】
【０００２】
ところで、素子収納ボックス内の送風機や圧縮機駆動素子は、送風機や圧縮機の運転に伴い発熱するため、部品耐熱温度や部品寿命の観点から放熱することが必要となる。その放熱は、放熱フィンの一端を素子外郭に接触させ、放熱フィンの他端をボックス外部に露出させて行っている。
【０００３】
また、冷凍ユニットを搭載する内蔵型ショーケースでは、ショーケース本体下方に機械室を設け、冷凍ユニットを納めることが一般的であるが、ショーケースの大きさによっては機械室のスペースが十分に確保でない場合があり、そのため素子収納ボックスや凝縮器、送風機などの大きさも制限されることとなる。
【０００４】
そのため、機械室内の凝縮器や素子収納ボックスから発する熱を効率良く機械室外あるいはショーケースの機体外に排気することが必要である。
【０００５】
上記と課題を解決する先行技術として、特開２００９−２４９２１号公報（特許文献１）に記載の発明では、冷蔵庫の真空断熱材を立体形状に曲げて放熱パイプと制御基板，電源基板等の電気部品に跨って配置することにより、放熱パイプの放熱性の向上と、放熱パイプと電気部品による庫内への熱漏洩を大幅に低減する手段が記載されている。
【０００６】
【特許文献１】特開２００９−２４９２１号公報
【０００７】
しかし、特許文献１に記載の冷蔵庫のように、真空断熱材を立体形状に曲げて放熱パイプを設けることにより、断熱材の量や部品数が増える上、断熱材の成型加工が複雑なものとなるため、ショーケースの製造費用も上昇することが新たな課題として生じることになる。
【発明の開示】
【発明が解決しようとする課題】
【０００８】
本発明は、素子収納ボックス内の送風機、圧縮機駆動素子の発熱量が多い場合でも、専用の冷却ファン等の特別な冷却装置を用いずに凝縮器や圧縮機駆動素子などの発熱する素子収納ボックスからの熱を効率よく排出できる配置構造を有す冷凍ユニットを搭載するショーケースを提供するものである。
【課題を解決するための手段】
【０００９】
前記課題を解決するために、本願の発明は第１にショーケース内の機械室に凝縮器と送風機と送風機の風を凝縮器へ導く凝縮器連通風路と圧縮機と圧縮機を駆動制御する素子を備える素子収納ボックスと、送風機の風を素子収納ボックスへ導く素子収納ボックス連通風路と凝縮器連通風路と素子収納ボックス連通風路を分流風路または分流板を備えたことを特徴としている。
【００１０】
また、第２に、前記分流板は、送風機の近傍の側壁を折り曲げて、素子収納ボックス連通風路に分流することを特徴としている。
【００１１】
そして本発明は第３に、ショーケース内の機械室に凝縮器と送風機と送風機の風を凝縮器へ導く凝縮器連通風路と圧縮機と圧縮機を駆動制御する素子を備える素子収納ボックスと送風機の風を素子収納ボックスへ導く素子収納ボックス連通風路を備え、送風機からの送風風路の先に凝縮器連通風路と素子収納ボックス連通風路を概ね並列に配置したことを特徴とするものである。
【００１２】
第４に、ショーケース内の機械室に凝縮器と送風機と送風機の風を凝縮器へ導く凝縮器連通風路と圧縮機と圧縮機を駆動制御する素子を備える素子収納ボックスと送風機の風を素子収納ボックスへ導く素子収納ボックス連通風路を備え、凝縮器と素子収納ボックスを送風機の背後側に配置するとともに凝縮器連通風路と素子収納ボックス連通風路を概ね並列に配置したことを特徴とするものである。
【００１３】
第５に、凝縮器連通風路を通過した高温の空気が流入しないよう、凝縮器連通風路と素子収納ボックス連通風路に仕切りを設けたこと、そして第６に素子収納ボックス連通風路を通過した空気をドレン蒸発装置に導く風路を備えたことを特徴とするものである。
【発明の効果】
【００１４】
上記のとおり本願発明は、素子収納ボックス内の送風機や圧縮機駆動素子の発熱量が多い場合でも、専用の冷却ファンを用いずに、各素子が放熱した空気を、容易な手段で安価で効率よくショーケースの機体外へと排出できるとの効果が期待できるものである。
【発明を実施するための最良の形態】
【００１５】
図１は、本発明の第１実施形態を示す、冷凍ユニットを納めるショーケースの機械室の上面図であり、断熱筺体を支える台枠の上に、機械室１を配置しており、その機械室１には図で示してはいないが、外気導入口があり、外部の低温空気を送風機４が取り込んで凝縮器２へと送風する。また、送風機４から先の風路には、凝縮器連通風路３と素子収納ボックス連通風路６を設け、これらを通じてれ凝縮器２及び素子収納ボックス５へ送風する。
【００１６】
前記のように風路の下流に設けた凝縮器連通風路３は、風路側壁が折れ曲がっており、送風機からの風を分流する分流板８として機能し、素子収納ボックス連通風路６の一部を形成している。
【００１７】
そして、凝縮器２および素子収納ボックス連通風路６を通過し、凝縮器２及び素子収納ボックス５の放熱により温まった空気は、凝縮器２及び素子収納ボックス５の風路下流側に配置されているドレン蒸発装置１０や圧縮機７を通過した後に機械室１あるいはショーケースの機体の外へ排出される。
【００１８】
図２は、本発明の第２実施形態を示すショーケースにある機械室１の上面図である。
ショーケースの本体の断熱筺体を支える台枠の上に、機械室ベースを配置し、その機械室１の上に外気導入口に近接して凝縮器２および素子収納ボックス５を概ね並列に配置し、そのそれぞれの風路下流に送風機連通風路６を設けている。
【００１９】
送風機連通風路６の下流には送風機４を配置し、機械室外の低温空気を凝縮器２および素子収納ボックス５へ引き込んでいる。送風機４の下流側には、断熱筺体内のドレン水を蒸発させるドレン蒸発装置１０や圧縮機７が配置され、それらを通過した後に機械室１あるいはショーケースの機体の外へ空気を排出する。
【００２０】
図３は本発明の第３実施形態を示すショーケース内の機械室１の上面図である。
凝縮器２とドレン水蒸発装置１０の間に送風機４を配置し、送風機４の背後側に素子収納ボックス５と素子収納ボックス連通風路６を配置し、凝縮器連通風路３と素子収納ボックス連通風路６を概ね並列に配置したものである。
【００２１】
また、凝縮器連通風路３を通過した高温の空気が素子収納ボックス５の付近に流入しないよう、凝縮器連通風路３と素子収納ボックス連通風路６には仕切り１１を設けており、さらに素子収納ボックス連通風路６を通過した空気をドレン蒸発装置１０に導く風路を備えている。
【００２２】
なお、素子収納ボックス連通風路６を通過した温かい空気をドレン蒸発装置１０に導くことにより、ドレン蒸発装置に対して効率の良いドレン処理をもたらすことができるため、図１〜図３に記載するいずれの配置においても素子収納ボックス連通風路６からドレン蒸発装置１０へ連津する風路を設けることが望ましい。
【図面の簡単な説明】
【００２３】
【図１】本発明の第１実施形態を示すショーケースの機械室の上面図である。
【図２】本発明の第２実施形態を示すショーケースの機械室の上面図である。
【図３】本発明の第３実施形態を示すショーケースの機械室の上面図である。
【符号の説明】
【００２４】
１機械室
２凝縮器
３凝縮器連通風路
４送風機
５素子収納ボックス
６素子収納ボックス連通風路
７圧縮機
８分流板
９分流風路
１０ドレン蒸発装置
１１仕切り
【図１】
2012242006.tif 000003
【図２】
2012242006.tif 000004
【図３】
2012242006.tif 000005